【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
第１端から第２端までの長さに延在する駆動要素であって、前記駆動要素の外面上に又は外面内に形成された少なくとも１つのガイド構造を有しており、前記少なくとも１つのガイド構造は少なくとも１つの時計回り螺旋溝を含み、前記少なくとも１つのガイド構造は少なくとも１つの反時計回り螺旋溝を含み、前記少なくとも１つの時計回り螺旋溝および前記少なくとも１つの反時計回り螺旋溝は前記駆動要素の長さに沿って周期的に互いに交差する、駆動要素と、
第１駆動取付要素であって、前記少なくとも１つのガイド構造の１以上に連通して、前記駆動要素が前記駆動要素の長手方向軸回りに回転させられるときに前記駆動要素に沿って軸方向に前記第１駆動取付要素を移動させる対応の第１構造を有する第１駆動取付要素と、を備え、
前記駆動要素の少なくとも一部が中空であり、
前記駆動要素の前記外面が円形断面形状を有している、窓カバーアセンブリ。
【請求項２】
前記駆動要素を回転させる回転アセンブリをさらに備える、請求項１に記載の窓カバーアセンブリ。
【請求項３】
前記駆動要素は管である、請求項１に記載の窓カバーアセンブリ。
【請求項４】
前記少なくとも１つのガイド構造は螺旋ガイド構造を備える、請求項１に記載の窓カバーアセンブリ。
【請求項５】
前記螺旋ガイド構造は、前記駆動要素の前記外面内に形成された第１螺旋溝を備える、請求項４に記載の窓カバーアセンブリ。
【請求項６】
前記少なくとも１つの対応の構造は歯を備える、請求項５に記載の窓カバーアセンブリ。
【請求項７】
前記駆動要素の長手方向軸回りの特定の回転角における前記駆動要素に沿った前記第１螺旋溝の軸方向位置は、前記駆動要素の長手方向軸回りの前記特定の回転角における前記駆動要素に沿った前記第１螺旋溝の隣接する軸方向位置から軸方向に２〜６インチの間隔を空けて配置される、請求項５に記載の窓カバーアセンブリ。
【請求項８】
駆動要素であって、前記駆動要素の外面上に又は外面内に形成された少なくとも１つのガイド構造を有する駆動要素と、
第１駆動取付要素であって、前記少なくとも１つのガイド構造の１以上に連通して、前記駆動要素が前記駆動要素の長手方向軸回りに回転させられるときに前記駆動要素に沿って軸方向に前記第１駆動取付要素を移動させる対応の第１構造を有する第１駆動取付要素と、を備え、
前記少なくとも１つのガイド構造は、螺旋ガイド構造を備え、
前記螺旋ガイド構造は、前記駆動要素の前記外面内に形成された第１螺旋溝を備え、
前記少なくとも１つのガイド構造は、前記駆動要素の前記外面内に形成された第２螺旋溝を備え、
前記第２螺旋溝は、前記第１螺旋溝と同一の方向に回転し、
前記第２螺旋溝は、前記駆動要素の前記第１螺旋溝とはほぼ反対側に配置され、
前記第１駆動取付要素は、前記第２螺旋溝に連通して、前記駆動要素が前記駆動要素の長手方向軸回りに回転させられるときに前記駆動要素に沿って軸方向に前記第１駆動取付要素を移動させる対応の第２構造をさらに備える、窓カバーアセンブリ。
【請求項９】
前記回転アセンブリはモータを備える、請求項２に記載の窓カバーアセンブリ。
【請求項１０】
前記モータは前記駆動要素の内側に装着される、請求項９に記載の窓カバーアセンブリ。
【請求項１１】
前記モータのための電源をさらに備え、前記電源は、前記駆動要素の内側に装着される、請求項９に記載の窓カバーアセンブリ。
【請求項１２】
前記モータはバッテリ駆動である、請求項９に記載の窓カバーアセンブリ。
【請求項１３】
前記回転アセンブリは、制御基板と、前記モータを動作させるために送信機から信号を受信することが可能な無線受信機と、をさらに備える、請求項９に記載の窓カバーアセンブリ。
【請求項１４】
前記回転アセンブリは、前記駆動要素を手動で回転させるために前記駆動要素に接続された引きひもを備える、請求項２に記載の窓カバーアセンブリ。
【請求項１５】
前記モータは、送信機への音声コマンドによって、又は、リモコン装置、携帯電話、携帯情報端末又はパーソナルコンピュータから構成された群から選択されるデバイスを使用したキーストロークによって動作させられる、請求項２に記載の窓カバーアセンブリ。
【請求項１６】
カーテンをさらに備え、前記カーテンの第１端は固定され、前記カーテンの第２端は前記駆動取付要素に接続される、請求項１に記載の窓カバーアセンブリ。
【請求項１７】
前記第１駆動取付要素に接続された引きロッドをさらに備え、前記駆動要素の回転時に前記第１駆動取付要素が前記駆動要素に沿って軸方向に移動しないように、前記引きロッドに力を加えることによって前記駆動要素の前記少なくとも１つのガイド構造からの前記第１駆動取付要素の係合が解除される、請求項１に記載の窓カバーアセンブリ。
【請求項１８】
前記駆動要素に沿ってスライド移動するために前記駆動要素に接続された複数の単純取付要素をさらに備え、前記カーテンは、前記複数の単純取付要素を介して前記駆動要素から吊り下げられる、請求項１６に記載の窓カバーアセンブリ。
【請求項１９】
前記駆動要素を時計回りに回転させることによって前記駆動要素に沿って第１軸方向に前記第１駆動取付要素を移動させ、前記駆動要素を反時計回りに回転させることによって前記駆動要素に沿って第２軸方向に前記第１駆動取付要素を移動させ、前記第２軸方向は前記第１軸方向とは反対向きである、請求項１に記載の窓カバーアセンブリ。
【請求項２０】
前記第１螺旋溝は、前記駆動要素の第１軸方向セクションの外面内に形成され、
前記対応の第１構造は、前記駆動要素が前記駆動要素の長手方向軸回りに回転させられるときに前記駆動要素の前記第１軸方向セクションに沿って軸方向に前記第１駆動取付要素を移動させるように前記第１螺旋溝と連通し、
前記少なくとも１つのガイド構造は、前記駆動要素の第２軸方向セクションの外面内に形成された第２螺旋溝を備え、
前記第２螺旋溝は前記第１螺旋溝とは反対方向に回転し、
前記窓カバーアセンブリは、第２駆動取付要素であって、前記第２螺旋溝に連通して、前記駆動要素が前記駆動要素の長手方向軸回りに回転させられるときに前記駆動要素の前記第２軸方向セクションに沿って軸方向に前記第２駆動取付要素を移動させる対応の第２構造を有する第２駆動取付要素をさらに備え、
前記駆動要素が前記駆動要素の長手方向軸回りに回転させられるときに前記第２駆動取付要素は、前記駆動取付要素が移動する前記軸方向とは反対の軸方向に移動する、請求項５に記載の窓カバーアセンブリ。
【請求項２１】
左側パネル及び右側パネルから構成された中央閉めカーテンをさらに備え、前記左側パネルの一端は固定され、前記左側パネルの隣接する反対端は前記駆動取付要素に接続され、前記右側パネルの一端は固定され、前記右側パネルの隣接する反対端は前記第２駆動取付要素に接続される、請求項２０に記載の窓カバーアセンブリ。
【請求項２２】
前記第１螺旋溝及び前記第２螺旋溝は、前記駆動要素の断面平面に対して同一の角度を有する、請求項２０に記載の窓カバーアセンブリ。
【請求項２３】
駆動要素であって、前記駆動要素の外面上に又は外面内に形成された１つのガイド構造を有する駆動要素と、
第１駆動取付要素であって、前記駆動要素が前記駆動要素の長手方向軸回りに回転させられるときに前記駆動要素に沿って軸方向に前記第１駆動取付要素を移動させる、前記ガイド構造の第１溝に連通する対応の第１構造および前記ガイド構造の第２溝に連通する対応の第２構造とを有する第１駆動取付要素と、
第２駆動取付要素であって、前記駆動要素が前記駆動要素の長手方向軸回りに回転させられるときに前記駆動要素に沿って軸方向に前記第２駆動取付要素を移動させる、前記ガイド構造の第３溝に連通する対応の第１構造および前記ガイド構造の第４溝に連通する対応の第２構造とを有する第２駆動取付要素と、を備え、
前記第１駆動取付要素が前記ガイド構造と係合しているとき、前記駆動要素を第１回転方向に回転させることによって前記駆動要素に沿って第１軸方向に前記第１駆動取付要素を移動させ、前記駆動要素を前記第１回転方向とは反対の第２回転方向に回転させることによって前記駆動要素に沿って第２軸方向に前記第１駆動取付要素を回転させ、
前記第２駆動取付要素が前記ガイド構造と係合しているとき、前記駆動要素を前記第１回転方向に回転させることによって前記駆動要素に沿って前記第２軸方向に前記第２駆動取付要素を移動させ、前記駆動要素を前記第２回転方向に回転させることによって前記駆動要素に沿って前記第１軸方向に前記第２駆動取付要素を回転させる、窓カバーアセンブリ。
【請求項２４】
第１端から第２端までの長さに延在する駆動要素であって、前記駆動要素の外面上に又は外面内に形成されたガイド構造を有しており、前記ガイド構造は少なくとも１つの時計回り螺旋溝を含み、前記ガイド構造は少なくとも１つの反時計回り螺旋溝を含む、駆動要素と、
第１駆動取付要素であって、前記ガイド構造の第１溝と連通する第１構造を有する第１駆動取付要素と、
前記駆動要素を回転させるように、前記駆動要素に動作可能に接続された回転アセンブリと、を備え、
前記回転アセンブリは電動モータを備え、
前記モータの回転軸が前記駆動要素の回転軸と整合するように、前記モータは前記駆動要素と位置合わせして配置され、
前記駆動要素の前記外面が円形断面形状を有しており、
前記駆動要素が長手方向軸回りに回転させられるときに前記第１駆動取付要素は、前記駆動要素の長さに沿って移動する、窓カバーシステム。
【請求項２５】
第１カーテンであって、前記第１カーテンの端部が前記第１駆動取付要素に接続される、第１カーテンと、
第２カーテンであって、前記第２カーテンの端部が前記第２駆動取付要素に接続される、第２カーテンと、をさらに備える、請求項２３に記載の窓カバーシステム。
【請求項２６】
前記駆動要素の前記第１回転方向への回転は、前記第１カーテン及び前記第２カーテンを開けることを可能にし、
前記駆動要素の前記第２回転方向への回転は、前記第１カーテン及び前記第２カーテンを閉じることを可能にする、請求項２５に記載の窓カバーシステム。
【請求項２７】
前記駆動要素の一部が中空であり、前記モータが前記駆動要素内に配置される、請求項２４に記載の窓カバーシステム。
【請求項２８】
支持ガイドと、
複数のコネクタと、をさらに備え、
前記複数のコネクタは、前記第２カーテンの一端と前記第２カーテンの前記第２端の間で前記第２カーテンに取り付けられ、
前記複数のコネクタは、前記支持ガイドが前記第２カーテンの一部を支持するように、前記支持ガイドにスライド可能に相互接続され、
前記駆動要素が前記第２カーテンの前記一端を移動させるように前記第２駆動取付要素を移動させるとき、前記複数のコネクタはそれぞれ前記支持ガイドに対してスライドして前記第２カーテンを移動させることを可能にする、
請求項２３に記載の窓カバーアセンブリ。
【請求項２９】
前記駆動要素の一部が中空であり、電源が前記駆動要素内に配置され、前記モータに電気的に接続される、請求項２５に記載の窓カバーアセンブリ。